(57)【要約】【課題】本開示における撮像装置は、任意の複数の合焦位置を選択することができ、選択された複数の合焦位置に応じた合焦処理を可能とする。【解決手段】本開示に係る撮像装置は、被写体像を撮影して画像を生成する撮像部と、前記画像及び前記画像に重畳して複数の合焦枠の集合である合焦枠群を表示する表示部と、前記合焦枠群から選択された任意の合焦枠の数及び位置を判定する判定部と、前記撮像部及び前記判定部の制御並びに前記画像の合焦処理を行う制御部と、を備え、前記制御部は、前記判定部によって、複数の合焦枠が隣り合わない位置に存在すると判定された場合、当該複数の合焦枠に応じた合焦処理を行う。【選択図】図９
2015148656.tif 000002
【特許請求の範囲】
【請求項１】
被写体像を撮影して画像を生成する撮像部と、
前記画像及び前記画像に重畳して複数のＡＦ枠の集合であるフォーカスエリアを表示する表示部と、
前記フォーカスエリアから選択された任意のＡＦ枠の数及び位置を判定する判定部と、
前記撮像部及び前記判定部の制御並びに前記画像の合焦処理を行う制御部と、を備え、
前記制御部は、
前記判定部によって、複数のＡＦ枠が隣り合わない位置に存在すると判定された場合、当該複数のＡＦ枠に応じた合焦処理を行う、
撮像装置。
【請求項２】
前記制御部は、前記複数のＡＦ枠に対して重み付けを行う、
請求項１に記載の撮像装置。
【請求項３】
前記制御部は、
前記複数のＡＦ枠の重心位置を計算し、前記重心位置から前記複数のＡＦ枠までの距離に応じて、前記複数のＡＦ枠に重みを付ける、
請求項２に記載の撮像装置。
【請求項４】
前記制御部は、画像合成を行う合成手段を更に備え、
前記複数のＡＦ枠の一つ一つに対して合焦処理及び撮影を行い、一連の画像を取得し、前記一連の画像を合成する、
請求項１に記載の撮像装置。
【請求項５】
前記制御部は、
一つの領域には前記複数のＡＦ枠のうちの一つしか含まないように前記一連の画像を全て同様に分割し、
分割された前記一連の画像のそれぞれにおいて、当該画像の合焦処理の際に実際に使用したＡＦ枠を含む領域を用いて、前記一連の画像を合成する、
請求項４に記載の撮像装置。
【請求項６】
前記制御部は、前記複数のＡＦ枠の重心位置を基点に前記一連の画像を複数の領域に分割する、
請求項５に記載の撮像装置。
【発明の詳細な説明】
【技術分野】
【０００１】
本開示は、オートフォーカス制御を行う撮像装置に関する。
【背景技術】
【０００２】
特許文献１には、複数領域に分割された撮影画像を表示し、目的とする被写体を含む領域を指定させ、指定領域の合焦情報を基に焦点を合わせるようフォーカスレンズを移動する撮像装置が開示されている。
【先行技術文献】
【特許文献】
【０００３】
【特許文献１】特開２０１０−８６２０
【発明の概要】
【発明が解決しようとする課題】
【０００４】
本開示は、任意の複数の合焦位置を選択することができ、選択された複数の合焦位置に応じた合焦処理を可能とする撮像装置の提供を目的とする。
【課題を解決するための手段】
【０００５】
本開示に係る撮像装置は、被写体像を撮影して画像を生成する撮像部と、前記画像及び前記画像に重畳して複数の合焦枠の集合である合焦枠群を表示する表示部と、前記合焦枠群から選択された任意の合焦枠の数及び位置を判定する判定部と、前記撮像部及び前記判定部の制御並びに前記画像の合焦処理を行う制御部と、を備え、前記制御部は、前記判定部によって、複数の合焦枠が隣り合わない位置に存在すると判定された場合、当該複数の合焦枠に応じた合焦処理を行う。
【発明の効果】
【０００６】
本開示における撮像装置は、任意の複数の合焦位置を選択することができ、選択された複数の合焦位置に応じた合焦処理を可能とする。
【図面の簡単な説明】
【０００７】
【図１】実施の形態１に係るデジタルカメラ１００の正面図
【図２】実施の形態１に係るデジタルカメラ１００の背面図
【図３】実施の形態１に係るデジタルカメラ１００の電気的構成図
【図４】実施の形態１に係るデジタルカメラ１００の表示例
【図５】実施の形態１に係るデジタルカメラ１００のオートフォーカス制御概略図
【図６】実施の形態１に係るデジタルカメラ１００のオートフォーカス制御のフローチャート
【図７】実施の形態１に係るデジタルカメラ１００のフォーカス枠選択の概略図
【図８】実施の形態２に係るデジタルカメラ１００のオートフォーカス制御のフローチャート
【図９】実施の形態２に係るデジタルカメラ１００のフォーカス枠選択の概略図
【図１０】実施の形態２に係るデジタルカメラ１００の画像合成概略図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
〔１．実施の形態１〕
〔１−１．構成〕
以下、図１〜図７を用いてデジタルカメラ１００の構成を説明する。デジタルカメラ１００は、撮像装置の一例である。
【００１１】
図１は、デジタルカメラ１００の正面図である。デジタルカメラ１００は正面に光学系１１０を納める鏡筒を備える。また、デジタルカメラ１００は上面に操作釦を備える。操作釦は、静止画レリーズ釦２０１、ズームレバー２０２、電源釦２０３を含む。
【００１２】
図２は、デジタルカメラ１００の背面図である。デジタルカメラ１００は背面に液晶モニタ１２３を備える。液晶モニタ１２３は、後述するように、使用者のタッチ操作を受け付ける。また、デジタルカメラ１００は背面に操作釦を備える。操作釦は、中央釦２０４、十字釦２０５、モード切替スイッチ２０７を含む。
【００１３】
図３は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは、ＡＦＥ（Ａｎａｌｏｇ  Ｆｒｏｎｔ  Ｅｎｄ）１２１や画像処理部１２２において各種処理が施される。生成された画像データはフラッシュメモリ１４２やメモリカード１４０に記録される。フラッシュメモリ１４２やメモリカード１４０に記録された画像データは、使用者による釦操作部１５０やタッチ操作部１６０の操作を受け付けて液晶モニタ１２３上に表示される。以下で、図１から図３に示す各構成の詳細を説明する。
【００１４】
光学系１１０は、フォーカスレンズ１１１やズームレンズ１１２、絞り１１３、シャッター１１４等により構成される。図示していないが、光学系１１０は、光学式手ぶれ補正（ＯＩＳ：Ｏｐｔｉｃａｌ  Ｉｍａｇｅ  Ｓｔａｂｉｌｉｚｅｒ）レンズを含んでいてもよい。なお、光学系１１０を構成する各種レンズは何枚から構成されるものでも、何群から構成されるものでもよい。
【００１５】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッター１１４は、ＣＣＤイメージセンサ１２０に入射する光の露出時間を調節する。
【００１６】
また、デジタルカメラ１００は、光学系１１０を駆動する駆動系１１５を備える。駆動系１１５として、ＤＣモータやステッピングモータなどが挙げられる。フォーカスレンズ１１１、ズームレンズ１１２、絞り１１３、シャッター１１４は、それぞれに対応した駆動手段を、駆動系１１５内に有する。光学系１１０は、駆動系１１５により、コントローラ１３０から通知された制御信号に従って駆動される。
【００１７】
ＣＣＤイメージセンサ１２０は、光学系１１０を通して形成された被写体像を撮像して画像データを生成する。ＣＣＤイメージセンサ１２０は、デジタルカメラ１００が撮影モードにあるとき、一定時間ごとに新しいフレームの画像データを生成することができる。
【００１８】
ＡＦＥ１２１では、ＣＣＤイメージセンサ１２０から読み出された画像データを処理してデジタル信号に変換する。ＡＦＥ１２１は、画像データに対して相関二重サンプリングによる雑音抑圧、アナログゲインコントローラによるＡ／Ｄコンバータの入力レンジ幅への増幅、Ａ／ＤコンバータによるＡ／Ｄ変換を施す。その後、ＡＦＥ１２１はデジタル信号に変換された画像データを画像処理部１２２に出力する。
【００１９】
画像処理部１２２は、ＡＦＥ１２１から出力された画像データに対して各種の処理を施す。各種処理としては、スミア補正、ホワイトバランス補正、ガンマ補正、ＹＣ変換処理、電子ズーム処理、圧縮処理、伸張処理等が挙げられるが、これらに限定されるものではない。画像処理部１２２は、各種処理を施した画像情報をバッファメモリ１２４に記憶する。画像処理部１２２は、ハードワイヤードな電子回路で構成してもよいし、プログラムを用いたマイクロコンピュータなどで構成してもよい。またコントローラ１３０などと共に１つの半導体チップで構成してもよい。
【００２０】
液晶モニタ１２３は、デジタルカメラ１００の背面に備わる。液晶モニタ１２３は、画像処理部１２２にて処理された画像データに基づく画像を表示する。液晶モニタ１２３が表示する画像には、スルー画像や記録画像がある。スルー画像は、ＣＣＤイメージセンサ１２０により一定時間ごとに生成される新しいフレームの画像データを連続して表示する画像である。通常は、デジタルカメラ１００が撮影モードにあるときに、画像処理部１２２がＣＣＤイメージセンサ１２０の生成した画像データからスルー画像を生成する。使用者は、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の画像データを液晶モニタ１２３に表示するために低画素に縮小した画像である。メモリカード１４０に記録される高画素の画像データは、使用者による静止画レリーズ釦２０１の操作を受け付けた後に、ＣＣＤイメージセンサ１２０が生成した画像データに基づいて画像処理部１２２により生成される。
【００２１】
コントローラ１３０は、デジタルカメラ１００全体の動作を統括制御する。また、コントローラ１３０は、画像処理部１２２で処理された後、バッファメモリ１２４に記憶された画像データを、メモリカード１４０等の記録媒体へ記録する。コントローラ１３０は、プログラム等の情報を格納するＲＯＭや、プログラムを実行することにより各種情報を処理するＣＰＵなどにより構成される。ＲＯＭは、ファイル制御、オートフォーカス制御（ＡＦ制御）や自動露出制御（ＡＥ制御）、フラッシュの発光制御に関するプログラムの他、デジタルカメラ１００全体の動作を統括制御するためのプログラムを格納している。
【００２２】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
【００２３】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像データおよびデジタルカメラ１００の設定情報等を記録するための内部メモリとして機能する。
【００２４】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２５】
メモリカード１４０は、内部にフラッシュメモリ等の記録部を備えた外部メモリである。メモリカード１４０は、画像処理部１２２で処理される画像データなどのデータを記録可能である。
【００２６】
釦操作部１５０は、デジタルカメラ１００の外装に備わっている操作釦や操作ダイヤルの総称であり、使用者による操作を受け付ける。釦操作部１５０は、静止画レリーズ釦２０１、ズームレバー２０２、電源釦２０３、中央釦２０４、十字釦２０５、モード切替スイッチ２０７を含む。釦操作部１５０は使用者による操作を受け付けると、コントローラ１３０に種々の動作指示信号を通知する。
【００２７】
タッチ操作部１６０は、液晶モニタ１２３に備わっている操作系である。使用者が液晶モニタ１２３上に表示されたアイコン等を触れると、タッチ操作部はコントローラ１３０に種々の動作指示信号を通知する。デジタルカメラ１００が撮影モードであるとき、液晶モニタ１２３にはスルー画像が表示されている。使用者は、液晶モニタ１２３の、フォーカスを合わせたい位置をタッチすることで、ＡＦ制御を行う位置を指示することができる。
【００２８】
静止画レリーズ釦２０１は、半押し状態と全押し状態の二段階押下式釦である。静止画レリーズ釦２０１が使用者により半押しされると、コントローラ１３０は、オートフォーカス制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像データを静止画としてメモリカード１４０等に記録する。以下、単に静止画レリーズ釦２０１を押下すると記載する場合は、全押しを示すものとする。
【００２９】
ズームレバー２０２は画角を広角端と望遠端との間で調節するための中央位置自己復帰式のレバーである。ズームレバー２０２は、使用者により操作されるとコントローラ１３０にズームレンズ１１２を駆動するための動作指示信号を通知する。すわなち、ズームレバー２０２が広角端側に操作されると、コントローラ１３０は、被写体を広角で捉えられるようにズームレンズ１１２を駆動する。同様に、ズームレバー２０２が望遠端側に操作されると、コントローラ１３０は、被写体を望遠で捉えられるようにズームレンズ１１２を駆動する。
【００３０】
電源釦２０３は、デジタルカメラ１００を構成する各部への電力供給をＯＮ／ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００３１】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影／再生のための各種条件を設定するための画面である。メニュー画面で設定された情報は、フラッシュメモリ１４２に記録される。各種条件の設定項目が選択されているときに押下されると、中央釦２０４は決定釦としても機能する。
【００３２】
十字釦２０５は、上下左右方向に設けられた押下式釦である。使用者は、十字釦２０５のいずれかの方向を押下することにより、液晶モニタ１２３に表示される各種条件項目を選択することができる。
【００３３】
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
【００３４】
〔１−２．デジタルカメラ１００のＡＦ制御〕
以上のように構成されたデジタルカメラ１００のＡＦ制御について説明する。
【００３５】
液晶モニタ１２３は、図４に示すようなフォーカスエリア及びＡＦ枠を画像データに重畳して表示することができる。
【００３６】
フォーカスエリアとは、撮影される画像のうち合焦可能なエリアである。ＡＦ枠とは、フォーカスエリアを分割したそれぞれの枠である。使用者は、液晶モニタ１２３に表示されたフォーカスエリアから任意のＡＦ枠を選択することができる。デジタルカメラ１００は、使用者により選択されたＡＦ枠内で合焦するようにＡＦ制御を行う。本実施の形態では、フォーカスエリアを７×７の４９のＡＦ枠に分割する。
【００３７】
使用者は、液晶モニタ１２３の、フォーカスを合わせたい位置をタッチすることで、ＡＦ制御を行う位置を指示することができる。タッチ操作部１６０は、使用者にタッチされた位置をコントローラ１３０に通知する。コントローラ１３０は、タッチ操作部に通知された位置において合焦処理を行う。
【００３８】
デジタルカメラ１００は、ＡＦ制御の際に、複数のフォーカス位置の選択方式を有する。デジタルカメラ１００は、フォーカスしたい位置を１点のみ選択する方式（以下、１点ＡＦと呼ぶ）を有する。また、デジタルカメラ１００は、独立した任意の複数個の枠を選択できる方式を有する。このとき、使用者は隣接しない複数の枠を共にＡＦ制御を行う枠として選択することができる。このような方式を以下ではカスタムマルチＡＦと呼ぶこととする。
【００３９】
本実施の形態では、デジタルカメラ１００はＡＦ制御の際に、コントラストＡＦと呼ばれる制御方式を用いるとする。
【００４０】
〔１−２−１．１点ＡＦ〕
コントラストＡＦ制御について、フォーカス位置の選択方式である１点ＡＦを例に挙げて説明する。
【００４１】
デジタルカメラ１００が撮影モードであるとき、光学系１１０により撮影された被写体像は、ＣＣＤ１２０で画像データに変換される。その後ＡＦＥ１２１、画像処理部１２２を経て液晶モニタ１２３にスルー画像として表示される。使用者は、液晶モニタ１２３に表示されたスルー画像を見て画角等を決定する。また、使用者は、液晶モニタ１２３に表示されたスルー画像の中から、ピントを合わせたい位置を一箇所だけ選択し、タッチする。タッチ操作部１６０は、使用者がタッチした位置を判断し、コントローラ１３０に通知する。コントローラ１３０は、タッチ操作部により通知された位置において、以下で説明するコントラストＡＦを行う。
【００４２】
コントラストＡＦは、画像データが生成されるごとに算出されるＡＦ評価値に基づいて実行される。ＡＦ評価値は、画像データを構成する輝度信号の高周波成分を積算することにより得られる。なお、ＡＦ評価値はコントラスト値とも呼ばれる。算出した複数のＡＦ評価値を比較することにより、コントローラ１３０は、フォーカスレンズ１１１を移動させる方向および、被写体像の合焦状態を判断する。１点ＡＦでは、使用者が指定した位置のＡＦ評価値が最も高くなるように制御する。
【００４３】
図５は、ＡＦ制御の基本動作説明図である。駆動系１１５に含まれるフォーカスレンズモータは、フォーカスレンズ１１１を無限端あるいは至近端から一方向に駆動し続ける。コントローラ１３０は、フォーカスレンズ１１１の駆動に合わせて周期的にＡＦ評価値を算出し続ける。フォーカスレンズモータは、ＡＦ評価値が上昇し続ける限りフォーカスレンズ１１１を一方向に駆動し続ける。ＡＦ評価値の上昇が止まり、下降が開始すると、コントローラ１３０は合焦位置を通過したと判断する。そして、フォーカスレンズモータは、フォーカスレンズ１１１を今までとは逆方向に駆動し、最もＡＦ評価値が高くなるときのフォーカスレンズ１１１の位置である合焦位置に移動させる。コントローラ１３０は、使用者の静止画レリーズ釦２０１の半押し操作を受け付けて、ＡＦ制御動作を実行する。ＡＦ制御動作後、フォーカスレンズ１１１が合焦位置に移動すると、コントローラ１３０は、フォーカスレンズ１１１を合焦位置に固定する。使用者が静止画レリーズ釦２０１を全押し操作すると、コントローラ１３０は被写体像を撮影し、メモリカード１４０やフラッシュメモリ１４２に記録する。これにより、デジタルカメラ１００は、使用者の意図した位置にピントが合った画像を撮影することができる。
【００４４】
〔１−２−２．カスタムマルチＡＦ〕
次にカスタムマルチＡＦについて説明する。カスタムマルチＡＦでは、使用者は複数のＡＦ枠を選択することができる。
【００４５】
１点ＡＦでは選択された位置が１箇所であるため、その位置に対するＡＦ評価値を利用すればよい。しかし、カスタムマルチＡＦでは選択される枠が複数になるため、どの枠を優先して利用すべきかを判断する必要がある。そのような判断がされない場合、選択した枠や構図（被写体の状況）が変わっていなくても、半押し操作ごとに合焦する枠が異なる可能性が発生し、使用者にとって使いづらくなってしまう。
【００４６】
そこで、本実施の形態に係るデジタルカメラ１００は、使用者により選択された複数のＡＦ枠に対して重みづけを行う。そしてデジタルカメラ１００は、重みづけされたＡＦ枠から、優先的に採用するＡＦ枠を選択する。
【００４７】
本実施の形態では、選択された枠に対する重み付けのパラメータの一つとして、選択された複数のＡＦ枠の重心位置を用いる場合を例示する。
【００４８】
デジタルカメラ１００におけるカスタムマルチＡＦ時の画像データ記録までの具体的な動作について図６を用いて説明する。
【００４９】
最初に、コントローラ１３０は、デジタルカメラ１００が使用者のモード切替スイッチ２０７の操作により撮影モードに移行したとき、静止画記録に必要な初期化処理を行う。この際、コントローラ１３０は、液晶モニタ１２３にスルー画を表示するとともに、フォーカスエリアを設定する。また、コントローラ１３０は、フォーカスエリアを分割してＡＦ枠を設定する。
【００５０】
初期化処理が終了すると、使用者はフォーカス位置を決定できる。使用者が液晶モニタ１２３をタッチすると、タッチ操作部１６０は、タッチされた位置に設定されたＡＦ枠が選択されたと判断する（Ｓ６０１）。使用者が複数のＡＦ枠を選択すると、コントローラ１３０は選択されたすべてのＡＦ枠の重心位置を計算する（Ｓ６０２）。
【００５１】
次にデジタルカメラ１００は、使用者の選択したＡＦ枠の重心位置を基準に、ＡＦ枠に重み付けを行う（Ｓ６０３）。具体的には、複数のＡＦ枠のうち、重心位置から近いＡＦ枠から順に重みを付け、優先度を決める。即ち、重心位置から近いＡＦ枠ほど優先順位が高くなる。上述したＡＦ枠に重み付けを行う動作（Ｓ６０１からＳ６０３）を、使用者がＡＦ枠を選択するごとに行う。
【００５２】
最後に、使用者の静止画レリーズ釦２０１の半押し操作を受け付けて、デジタルカメラ１００は、ＡＦ制御動作を実行する（Ｓ６０４）。このとき、Ｓ６０３により重み付けされた、優先度の最も高い枠に対するＡＦ評価値を利用して合焦位置を決定する。
【００５３】
なお、デジタルカメラ１００は、優先度の最も高いＡＦ枠に対するＡＦ評価値が低い場合は、別のＡＦ枠に対してもＡＦ評価値の計算を行う。すなわち、デジタルカメラ１００は、優先度の最も高い枠のＡＦ評価値が低い場合は、優先度の高い順にＡＦ評価値を計算し、高いＡＦ評価値が得られるまで計算を行う。このとき、デジタルカメラ１００は、優先度の高いＡＦ枠でＡＦ制御してもよい。また、デジタルカメラ１００は、高いＡＦ評価値が得られたＡＦ枠においてＡＦ制御しても構わない。
【００５４】
ＡＦ制御を実施した後、コントローラ１３０は使用者の静止画レリーズ釦２０１の全押し操作を受け付ける。使用者が静止画レリーズ釦２０１を全押しすると、コントローラ１３０は生成された画像データを取り込む。そして、コントローラ１３０はフラッシュメモリ１４２あるいはメモリカード１４０に画像データを記録する。（Ｓ６０５）
図７を用いて、ＡＦ枠に優先順位を付ける方法を具体的に説明する。図７に示すように、使用者はＡＦ枠としてＰ１，Ｐ２，Ｐ３，Ｐ４を選択したとする。このとき、コントローラ１３０はそれぞれのＡＦ枠の座標情報を取得する。コントローラ１３０は、得られた複数のＡＦ枠の座標情報から、重心位置Ｇを計算する。重心位置Ｇが計算されると、コントローラ１３０は重心位置ＧからそれぞれのＡＦ枠までの距離を測定する。そして、コントローラ１３０は、重心位置Ｇから最も近いところにあるＡＦ枠から順に重みを付ける。図７においては、Ｐ３が重心位置Ｇに最も近いので、コントローラ１３０はＰ３を最も優先度の高いＡＦ枠であると判断する。
【００５５】
以上のように、本実施の形態に係るデジタルカメラ１００は、使用者が選択した複数のＡＦ枠に優先順位を付けることができる。このようにすることで、選択されたＡＦ枠の数や位置が変わらない限り、同一のＡＦ枠に対してＡＦ制御を行うことができる。
【００５６】
なお、本実施の形態では、重心位置のみを用いて重み付けを行う方法について説明したが、本開示はこれに限定されるものではない。重心位置の他に、顔や人体、選択されたパターンのチェック（縦一列、横一列など）、被写体距離情報（Ｄｅｐｔｈ  Ｆｒｏｍ  Ｄｅｆｏｃｕｓ）、動きベクトル（Ｍｏｔｉｏｎ  Ｅｓｔｉｍａｔｉｏｎ）を用いた動体判断、などをパラメータとして組み合わせて、枠の重み付けを行うこともできる。
【００５７】
〔１−３．効果等〕
本実施の形態に係るデジタルカメラ１００は、使用者による任意の複数のＡＦ枠の選択を可能にする。また、デジタルカメラ１００は、選択されたＡＦ枠の重心位置を用いてＡＦ枠に重みづけする。このように構成することで、使用者が任意の複数のＡＦ枠を選択した際でも、撮影の度に用いるＡＦ枠が変動することを抑制する。
【００５８】
なお、デジタルカメラ１００は、使用者が選択したＡＦ枠のパターンをフラッシュメモリ１４２に登録しておくことも可能である。ＡＦ枠のパターンを登録しておくと、以前に使用したＡＦ枠のパターンを再度使用したい場合に簡単に呼び出すことができる。
【００５９】
〔２．実施の形態２〕
本実施の形態に係るデジタルカメラ１００では、選択されたすべてのＡＦ枠に合焦した画像を合成処理により生成する。デジタルカメラ１００の構成などは実施の形態１と同じであるとして説明を省略し、実施の形態１と異なる点について説明する。
【００６０】
〔２−１．デジタルカメラ１００のＡＦ制御〕
本実施の形態の動作を、図８を用いて説明する。
【００６１】
最初に、実施の形態１と同様に、撮影モードにおいて初期化処理を行い、ＡＦ枠の設定を行う。
【００６２】
次に、Ｓ６０１と同様に使用者がタッチした位置に応じて、フォーカスエリアの中からＡＦ枠を選択する（Ｓ８０１）。このとき、コントローラ１３０は、ＡＦ枠の使用者がタッチした順番を記憶する。
【００６３】
次にデジタルカメラ１００は、使用者の静止画レリーズ釦２０１の全押し操作を受け付けて、撮影動作を行う。撮影動作では、まず、全てのＡＦ枠に対して合焦処理して撮影を行ったかを確認する（Ｓ８０２）。合焦処理と撮影が終わっていないＡＦ枠があれば、使用者がタッチ操作により選択した順番に、各ＡＦ枠に対して合焦し（Ｓ８０３）、それぞれ撮影を行う（Ｓ８０４）。Ｓ８０４で撮影した画像データは、バッファメモリ１２４に一時的に保存しておく。なお、Ｓ８０３、Ｓ８０４で撮影を行う順は、使用者がタッチした順番として説明したが、重心位置から近い順に撮影してもよい。
【００６４】
コントローラ１３０は、使用者が選択したＡＦ枠の数だけＳ８０２からＳ８０４の動作を繰り返す。コントローラ１３０は、全てのＡＦ枠に対して撮影した画像データをバッファメモリ１２４に保存する。Ｓ８０２からＳ８０４の動作は被写体の状態が著しく変化しないように、できる限り早く行うことが望ましい。即ち、Ｓ８０２からＳ８０４の動作は、高速連写により行われることが望ましい。
【００６５】
バッファメモリ１２４が全てのＡＦ枠に対しての画像データを保存し終えたら、コントローラ１３０は、画像処理部１２２に対し、バッファメモリ１２４に保存した全ての画像データを合成処理する命令を行う（Ｓ８０５）。画像処理部１２２による合成処理の詳細は後述する。画像データの合成処理が終わったら、コントローラ１３０は、合成された画像データをメモリカード１４０やフラッシュメモリ１４２に記録する（Ｓ８０６）。
【００６６】
図９及び図１０を用いて、画像処理部１２２による画像の合成処理について説明する。図９に示すように、使用者がＡＦ枠としてＰ１１，Ｐ２２，Ｐ３３，Ｐ４４を選択したとする。このとき、使用者はＰ１１，Ｐ２２，Ｐ３３，Ｐ４４の順にＡＦ枠を選択したとする。使用者がＡＦ枠を選択すると、コントローラ１３０はＡＦ枠の選択順を記憶する。この状態で使用者が静止画レリーズ釦２０１を全押しすると、デジタルカメラ１００は撮影を開始する。
【００６７】
使用者が静止画レリーズ釦２０１を全押しすると、コントローラ１３０は、最初に選択されたＡＦ枠であるＰ１１においてＡＦ制御を開始する。Ｐ１１でのＡＦ制御が完了すると、デジタルカメラ１００は、Ｐ１１に合焦した画像Ａを撮影する（図１０（ａ））。コントローラ１３０は、画像Ａをバッファメモリ１２４に記録する。次にコントローラ１３０は、２番目に選択されたＡＦ枠であるＰ２２においても同様に画像Ｂを撮影し、記録する（図１０（ｂ））。最後に選択されたＡＦ枠であるＰ４４に合焦した画像Ｄ（図１０（ｄ））が撮影され、記録されるまで、コントローラ１３０はそれぞれのＡＦ枠に合焦した画像を繰り返し撮影する。
【００６８】
図１０（ａ）から（ｄ）に示す画像Ａ，Ｂ，Ｃ，Ｄが全て記録されると、コントローラ１３０は、画像処理部１２２に画像データの合成処理を命令する。このとき、画像処理部１２２は図１０（ｅ）に示すように、ＡＦ枠Ｐ１１〜Ｐ４４のそれぞれを含む領域に画像データを分割する。本実施の形態では各ＡＦ枠の重心位置Ｇを基準に画像データを分割する。そして画像処理部１２２は、それぞれの領域において、その領域内に含まれるＡＦ枠に合焦した画像を用いて画像データを合成する。具体的には、ＡＦ枠Ｐ１１が含まれる領域では画像Ａを用いる、などの合成処理を行う。
【００６９】
なお、合成の方法は重心位置を用いた方法でなくてもよい。例えば、被写体距離（Ｄｅｐｔｈ  Ｆｒｏｍ  Ｄｅｆｏｃｕｓ）情報などを用いることでも合成することは可能である。
【００７０】
〔２−２．効果等〕
以上のように、使用者が選択した全ての枠に対して、撮影を行い、画像データを合成することにより、選択した全ての枠に合焦した画像データを生成することができる
〔３．他の実施形態〕
以上のように、本出願において開示する技術の例示として、実施の形態１、２を説明した。しかしながら、本開示における技術は、これに限定されず、変更、置き換え、付加、省略などを行った実施の形態にも適用できる。また、上記実施の形態１、２で説明した各構成要素を組み合わせて、新たな実施の形態とすることも可能である。
【００７１】
そこで、以下、他の実施の形態を例示する。
【００７２】
実施の形態１及び２では、デジタルカメラはＡＦ制御の際にコントラストＡＦを用いるものとしたが、本開示はこれに限定されるものではない。デジタルカメラは、ＡＦ制御の際に位相差ＡＦなどを用いてもよい。
【００７３】
また、実施の形態１及び２では使用者によるＡＦ枠の選択はタッチ操作を用いて説明したが、本開示はこれに限定されるものではない。使用者はＡＦ枠の選択の際に釦操作（十字釦、中央釦など）を用いてもよい。
【００７４】
また、実施の形態１及び２ではフォーカスエリア内のＡＦ枠の数は４９点として説明したが、本開示はこれに限定されるものではない。使用者が選択可能なＡＦ枠が複数存在すればよい。
【産業上の利用可能性】
【００７５】
本開示は、複数のＡＦ枠を任意に選択可能な撮像装置に適用可能である。具体的には、本開示は、デジタルスチルカメラ、ムービー、携帯電話、スマートフォン、モバイルＰＣ等に適用可能である。
【符号の説明】
【００７６】
１００  デジタルカメラ
１１１  フォーカスレンズ
１１２  ズームレンズ
１１３  絞り
１１４  シャッター
１２０  ＣＣＤイメージセンサ
１２１  ＡＦＥ（Ａｎａｌｏｇ  Ｆｒｏｎｔ  Ｅｎｄ）
１２２  画像処理部
１２３  液晶モニタ
１２４  バッファメモリ
１３０  コントローラ
１４０  メモリカード
１４１  カードスロット
１４２  フラッシュメモリ
１５０  釦操作部
１６０  タッチ操作部
２０１  静止画レリーズ釦
２０２  ズームレバー
２０３  電源釦
２０４  中央釦
２０５  十字釦
２０７  モード切替スイッチ
【図４】
2015148656.tif 000003
【図１】
2015148656.tif 000004
【図２】
2015148656.tif 000005
【図３】
2015148656.tif 000006
【図５】
2015148656.tif 000007
【図６】
2015148656.tif 000008
【図７】
2015148656.tif 000009
【図８】
2015148656.tif 000010
【図９】
2015148656.tif 000011
【図１０】
2015148656.tif 000012